(57)【要約】【課題】カードホルダへの接触に起因する不具合を抑止することのできる折畳み容器を提供する。【解決手段】折畳み容器１は、平面視略矩形状の底壁構成部２と、底壁構成部２の各側辺部からそれぞれ上方に延びる側壁部３、４と、側壁部３、４の上辺部に沿って設けられた四角枠状の上枠５とを備えている。相対する一対の長辺側側壁部３は、下辺部が底壁構成部２の側辺部に対して回動可能に連結された下壁部８と、上辺部が上枠５に対して回動可能に連結された上壁部９とを具備している。短辺側側壁部４は、上辺部が上枠５に対して回動可能に連結されている。カードホルダ６は、短辺側側壁部４に取付けられる取付部２２と、取付部２２に連結されるとともに、短辺側側壁部４との間でカードを保持可能なカード保持部２３とを備え、カード保持部２３は、短辺側側壁部４側に突出し、弾性変形可能な突部２６を備えている。【選択図】      図８
2020158136.tif 000002
【特許請求の範囲】
【請求項１】
平面視略矩形状の底壁構成部と、前記底壁構成部の各側辺部からそれぞれ上方に延びる側壁部と、前記側壁部の上辺部に沿って設けられた四角枠状の上枠とを備える折畳み容器において、
前記側壁部は、下辺部が前記底壁構成部の側辺部に対して回動可能に連結された下壁部と、上辺部が前記上枠に対して回動可能に連結された上壁部とを具備する相対する一対の第１側壁部と、上辺部が前記上枠に対して回動可能に連結された相対する一対の第２側壁部とを備え、
前記折畳み容器は、箱型に組立てられた組立状態から、前記第２側壁部を前記折畳み容器の内側に回動変位させるとともに、前記第１側壁部を折畳むことにより折畳み状態とされる構成であり、
前記第２側壁部の外面側に取付けられたカードホルダを備え、
前記カードホルダは、前記第２側壁部に取付けられる取付部と、前記取付部に連結されるとともに、前記第２側壁部との間でカードを保持可能なカード保持部とを備え、
前記カード保持部は、前記第２側壁部と対向する本体部と、前記本体部から前記第２側壁部側に突出する突部とを備え、
前記本体部、及び、前記突部のうち少なくとも一方は弾性変形可能に構成されていることを特徴とする折畳み容器。
【請求項２】
前記本体部、及び、前記突部のうち少なくとも前記突部が弾性変形可能に構成されていることを特徴とする請求項１に記載の折畳み容器。
【請求項３】
前記カード保持部は、前記本体部の両側部、又は、その付近において、前記第２側壁部側に突出する一対のサイド突部を備え、
前記突部は、前記一対のサイド突部の間に設けられていることを特徴とする請求項１又は２に記載の折畳み容器。
【請求項４】
前記突部は、ドーム状をなし、前記折畳み容器の外方側に開口していることを特徴とする請求項１乃至３のいずれかに記載の折畳み容器。
【請求項５】
前記カードホルダは、前記第２側壁部の外面に当接する左右一対の当接部を備え、
前記カード保持部は、前記一対の当接部間を連結するようにして設けられ、
前記取付部は、前記第２側壁部の高さ方向において前記各当接部の複数箇所に設けられ、
前記各当接部には、前記第２側壁部の高さ方向において前記突部と同じ位置、又は、ほぼ同じ位置に前記取付部が設けられていることを特徴とする請求項１乃至４のいずれかに記載の折畳み容器。
【発明の詳細な説明】
【技術分野】
【０００１】
本発明は、カードホルダを具備する折畳み容器に関するものである。
【背景技術】
【０００２】
従来、平面視略矩形状の底壁構成部と、底壁構成部の各側辺部からそれぞれ上方に延びる側壁部と、側壁部の上辺部に沿って設けられた四角枠状の上枠とを備え、上方に開口する箱型形状に組立可能に構成されるとともに、各側壁部を底壁構成部の上方に折畳むことのできる折畳み容器が知られている。また、該上枠を備えるタイプの折畳み容器の側壁部は、下辺部が底壁構成部の側辺部に対して回動可能に連結された下壁部と、上辺部が上枠に対して回動可能に連結されるとともに、下辺部が下壁部の上辺部に対して回動可能に連結された上壁部とを具備する相対する一対の第１側壁部と、上辺部が上枠に対して回動可能に連結された相対する一対の第２側壁部とを備えている。
【０００３】
そして、折畳み容器は、箱型に組立てられた組立状態から、第２側壁部を底壁構成部の上方に跳ね上げるとともに、下壁部の外面と上壁部の外面とを合わせるようにして第１側壁部を内側に折畳むことで、第１側壁部及び第２側壁部が底壁構成部の上方に折畳まれた折畳み状態とすることができるようになっている。
【０００４】
また、運搬される物品に関する情報等が記載されたカードを装着可能とするカードホルダを備える容器が知られている。特に、前記上枠を備えるタイプの折畳み容器に関しては、第２側壁部の外面側にカードホルダが取付けられるようになっている（例えば、特許文献１等参照。）。
【先行技術文献】
【特許文献】
【０００５】
【特許文献１】特開平１１−３５０３４号公報
【発明の概要】
【発明が解決しようとする課題】
【０００６】
ところで、上記特許文献１の折畳み容器を折畳み状態とする作業において、第２側壁部を折畳み容器の内側に回動させる際に、作業者の手がカードホルダに接触することが考えられる。このとき、例えば、作業者の手と、カードホルダとが勢いよく接触した場合（例えば、第２側壁部と、底壁構成部との簡易的な係止状態を解除するべく、第２側壁部を叩くような格好で押圧した場合）には、カードホルダが破損したり、カードホルダを介してカードが損傷したりすることが懸念される。
【０００７】
本発明は、上記例示した問題点等を解決するためになされたものであって、その目的は、カードホルダへの接触に起因する不具合を抑止することのできる折畳み容器を提供することにある。
【課題を解決するための手段】
【０００８】
以下、上記目的等を解決するのに適した各手段につき項分けして説明する。なお、必要に応じて対応する手段に特有の作用効果等を付記する。
【０００９】
手段１．平面視略矩形状の底壁構成部と、前記底壁構成部の各側辺部からそれぞれ上方に延びる側壁部と、前記側壁部の上辺部に沿って設けられた四角枠状の上枠とを備える折畳み容器において、
前記側壁部は、下辺部が前記底壁構成部の側辺部に対して回動可能に連結された下壁部と、上辺部が前記上枠に対して回動可能に連結された上壁部とを具備する相対する一対の第１側壁部と、上辺部が前記上枠に対して回動可能に連結された相対する一対の第２側壁部とを備え、
前記折畳み容器は、箱型に組立てられた組立状態から、前記第２側壁部を前記折畳み容器の内側に回動変位させるとともに、前記第１側壁部を折畳むことにより折畳み状態とされる構成であり、
前記第２側壁部の外面側に取付けられたカードホルダを備え、
前記カードホルダは、前記第２側壁部に取付けられる取付部と、前記取付部に連結されるとともに、前記第２側壁部との間でカードを保持可能なカード保持部とを備え、
前記カード保持部は、前記第２側壁部と対向する本体部と、前記本体部から前記第２側壁部側に突出する突部とを備え、
前記本体部、及び、前記突部のうち少なくとも一方は弾性変形可能に構成されていることを特徴とする折畳み容器。
【００１０】
手段１によれば、第２側壁部の外面側に取付けられたカードホルダ（カード保持部）に対して、作業者の手等が勢いよく接触したとしても、カード保持部と、第２側壁部との間に、突部を介して、本体部、及び、突部のうち少なくとも一方が弾性変形する空間ができることにより、前記接触に起因する衝撃を緩和することができる。従って、カードホルダが破損したり、カードホルダを介してカードが損傷したりすることを抑止することができる。さらに、作業者の手と、カードホルダとが勢いよく接触した場合の作業者の手への負担軽減を図ることができる。加えて、折畳み容器を折畳み状態とする作業において、第２側壁部を折畳み容器の内側に回動させる際に、第２側壁部のうち手で押圧するのに好適な位置（第２側壁部の中央部のやや下方位置）を避けてカードホルダを配置しなくても（カードホルダを介して第２側壁部を押圧しても）、上記のようにカードホルダの損傷等を防止することができる。従って、カードホルダによって保持されるカードが視認され易くなるようにカードホルダを配置したり、カードホルダの形状をカードが保持され易い形状としたりすることができる。
【００１１】
尚、「前記カード保持部（本体部）は、その上辺部を含む部位において、上方に向けて前記第２側壁部から離間する側に傾斜する傾斜部を備えること」としてもよい。この場合、カード保持部と、第２側壁部との間の距離を長くすることができ、その上辺部を含む部位においてカード保持部の弾性変形による緩衝効果がより一層確実に奏される。
【００１２】
手段２．前記本体部、及び、前記突部のうち少なくとも前記突部が弾性変形可能に構成されていることを特徴とする手段１に記載の折畳み容器。
【００１３】
手段２によれば、第２側壁部の外面側に取付けられたカードホルダ（カード保持部）に対して、作業者の手等が勢いよく接触したとしても、カード保持部に設けられた弾性変形可能な突部により、前記接触に起因する衝撃を緩和することができる。従って、カードホルダやカードの損傷等を抑止するといった作用効果がより確実に奏される。また、突部が設けられた部位の反対面側に作業者の手が勢いよく接触したとしても、作業者の手への負担軽減を図ることができる。さらに、例えば、本体部が弾性変形可能な構成と併用されることで、カード保持部が第２側壁部側に押圧されることに起因する衝撃を緩和させるといった作用効果が相乗的に高められ、カードホルダやカードの損傷等を抑止するといった作用効果がより一層確実に奏される。
【００１４】
尚、「前記本体部は、その上辺部を含む部位において、上方に向けて前記第２側壁部から離間する側に傾斜する傾斜部を備え、前記突部は前記傾斜部を含む範囲に設けられていること」としてもよい。この場合、突部の突出長を長くすることができ、当該突部の弾性変形による緩衝効果がより一層確実に奏される。
【００１５】
手段３．前記カード保持部は、（前記突部とは別に、）前記本体部の両側部、又は、その付近において、前記第２側壁部側に突出する一対のサイド突部を備え、
前記突部は、前記一対のサイド突部の間に設けられていることを特徴とする手段１又は２に記載の折畳み容器。
【００１６】
手段３によれば、カード保持部の両側部、又は、その付近においてもカードを保持することができる。また、比較的小さいサイズのカードについても、突部と、一方のサイド突部とで保持することも可能となる。
【００１７】
尚、「前記サイド突部は、前記突部よりも弾性が弱いこと」としてもよい。この場合、突部よりも弾性が弱い（弾性変形し難い）サイド突部がカード保持部の両側部、又は、その付近に設けられることで、折畳み容器を折畳み状態とするにあたり、第２側壁部を回動変位させる際に、カード保持部のうちサイド突部が設けられた部位の反対面側に作業者が手を当接させて、第２側壁部を押圧するといった事態を抑制することができる。その一方で、突部は、一対のサイド突部の間に設けられる。このため、突部が弾性変形可能であれば、突部の弾性によってカードホルダの損傷等を防止するといった上記作用効果がより一層奏される。
【００１８】
手段４．前記突部は、ドーム状をなし、前記折畳み容器の外方側に開口していることを特徴とする手段１乃至３のいずれかに記載の折畳み容器。
【００１９】
手段４によれば、突部の第２側壁部側の形状が断面略円弧状となることから、カード保持部と、第２側壁部との間にカードを挿入する際に、カードが突部に引っ掛かって、カードの挿入が阻害されるといった事態を回避することができる。さらに、第２側壁部、又は、カードと、突部とが圧接した場合であっても、突部が断面略円弧状であることにより、第２側壁部、カード、及び、突部が損傷するといった事態を抑制することができる。加えて、突部の内側の空間を埋めた形状（中実状）とする場合に比べ、突部の弾性を高める（弾性変形し易くする）こともでき、突部の弾性によってカードホルダの損傷等を防止するといった上記作用効果がより一層奏される。
【００２０】
手段５．前記カードホルダは、前記第２側壁部の外面に当接する左右一対の当接部を備え、
前記カード保持部は、前記一対の当接部間を連結するようにして設けられ、
前記取付部は、前記第２側壁部の高さ方向において前記各当接部の複数箇所に設けられ、
前記各当接部には、前記第２側壁部の高さ方向において前記突部と同じ位置、又は、ほぼ同じ位置に前記取付部が設けられていることを特徴とする手段１乃至４のいずれかに記載の折畳み容器。
【００２１】
手段５によれば、左右一対で設けられた各当接部に対しそれぞれ取付部が第２側壁部の高さ方向において複数設けられることから、カードホルダに対し、カード保持部が折畳み容器の外方側や内方側に変形させられるような力が加えられたとしても、当接部が第２側壁部から脱落するといった事態をより確実に防止することができる。特に、各当接部には、突部と同じ高さ位置、又は、ほぼ同じ高さ位置にも取付部が設けられていることから、かかる作用効果がより顕著に奏される。
【図面の簡単な説明】
【００２２】
【図１】組立状態にある折畳み容器の斜視図である。
【図２】折畳み状態にある折畳み容器の斜視図である。
【図３】組立状態と折畳み状態との間で状態変化する過程の折畳み容器を示す斜視図である。
【図４】短辺側側壁部の外面側を示す斜視図である。
【図５】短辺側側壁部の内面側を示す斜視図である。
【図６】カードホルダの外面側を示す斜視図である。
【図７】カードホルダの内面側を示す斜視図である。
【図８】カードホルダ及びその周辺の構成を示す部分拡大鉛直断面図である。
【図９】カードホルダ及びその周辺の構成を示す部分拡大水平断面図である。
【図１０】カードホルダ及びその周辺の構成を示す一部断面を含む部分拡大斜視図である。
【図１１】カードホルダ及びその周辺の構成を示す一部断面を含む部分拡大斜視図である。
【発明を実施するための形態】
【００２３】
以下に、一実施形態について図面を参照して説明する。図１に示すように、折畳み容器１は、平面視略矩形状の底壁構成部２と、底壁構成部２の相対する一対の長側辺部からそれぞれ上方に延びる第１側壁部としての長辺側側壁部３と、底壁構成部２の相対する一対の短側辺部からそれぞれ上方に延びる第２側壁部としての短辺側側壁部４と、長辺側側壁部３及び短辺側側壁部４の上辺部に沿って設けられた四角枠状の上枠５とを備えている。さらに、折畳み容器１は、短辺側側壁部４の外面側に取付けられたカードホルダ６を備えている。本実施形態の底壁構成部２、長辺側側壁部３、短辺側側壁部４、上枠５、及び、カードホルダ６は、ポリプロピレンにより構成されている。
【００２４】
また、図１〜図３に示すように、本実施形態の折畳み容器１は折畳み可能に構成されている。すなわち、長辺側側壁部３は、下辺部が底壁構成部２の長辺部に対して回動可能に連結された下壁部８と、上辺部が上枠５の長辺部に対して回動可能に連結されるとともに、下辺部が下壁部８の上辺部に対して回動可能に連結された上壁部９とを備えている。本実施形態では、図３に示すように、下壁部８の上辺部、及び、上壁部９の下辺部を折畳み容器１の内側に押し込むように押圧することで、上壁部９の外面と下壁部８の外面とを上下に対向させるようにして長辺側側壁部３を折畳み可能になっている。以下、上壁部９、及び、下壁部８が上下方向に延びた長辺側側壁部３の姿勢を長辺側側壁部３の起立姿勢と称し、上壁部９、及び、下壁部８が折畳まれた長辺側側壁部３の姿勢を長辺側側壁部３の折畳み姿勢と称する。
【００２５】
短辺側側壁部４は、上枠５の短辺部に対して回動可能に連結されている。本実施形態では、短辺側側壁部４を折畳み容器１の内側に押圧することで、短辺側側壁部４を略水平に延在するまで回動可能になっている。以下、上枠５から下方に延びた短辺側側壁部４の姿勢を短辺側側壁部４の起立姿勢と称し、上枠５から上枠５の内周側に向けて略水平に延在する短辺側側壁部４の姿勢を短辺側側壁部４の跳ね上げ姿勢と称する。
【００２６】
また、図１に示すように、短辺側側壁部４の横幅は、一対の長辺側側壁部３間の距離とほぼ同じである。さらに、図２等に示すように、短辺側側壁部４の上枠５に対する回転軸は、長辺側側壁部３（上壁部９）の上枠５に対する回転軸よりも上方に位置している。
【００２７】
図１に示すように、折畳み容器１は、一対の長辺側側壁部３、及び、一対の短辺側側壁部４が起立姿勢とされることで、箱型に組立てられた組立状態とされる。折畳み容器１の組立状態では短辺側側壁部４が一対の長辺側側壁部３の間に位置する。また、折畳み容器１を組立状態から、底壁構成部２の上方に長辺側側壁部３及び短辺側側壁部４が折畳まれた（重ねられた）折畳み状態とする場合には、先ず、図３に示すように、一対の短辺側側壁部４を折畳み容器１の内側に押圧して略水平に延在するまで回動させる（跳ね上げる）。続いて、一対の長辺側側壁部３を、一対の短辺側側壁部４の下方、かつ、底壁構成部２の上方に折り曲げることで、図２に示すように、折畳み容器１を折畳み状態とすることができるようになっている。
【００２８】
さらに、図３に示すように、各長辺側側壁部３の上壁部９の左右両端部には、内面から突出する断面略Ｌ字状の係合部１０が設けられている。これに対し、図１、図４、図５に示すように、短辺側側壁部４の外面側には、折畳み容器１を組立状態とした場合に、上記係合部１０とそれぞれ係合される被係合部１１が設けられている。そして、折畳み容器１を組立状態とすることで、起立姿勢とされた一対の長辺側側壁部３の間に、起立姿勢とされた一対の短辺側側壁部４が位置するとともに、係合部１０と、被係合部１１とが係合状態とされる。これにより、長辺側側壁部３の折畳み容器１の内方側への変位（折り畳まれるような変位）、長辺側側壁部３の折畳み容器１の外方側への変位、及び、短辺側側壁部４の折畳み容器１の外方側への変位がより確実に防止されるようになっている。
【００２９】
図１、図３に示すように、底壁構成部２は、略矩形板状をなす底壁部１２と、底壁部１２の各長辺部に沿って底壁部１２からそれぞれ上方に突出する長辺側土台部１３と、底壁部１２の各短辺部に沿って底壁部１２からそれぞれ上方に突出する短辺側土台部１４とを備えている。長辺側土台部１３は、起立姿勢とされた長辺側側壁部３（下壁部８）の外面側と略当接する長辺側縦壁部１５と、長辺側側壁部３の下壁部８と連結される軸受部１６とを備えている。また、図３に示すように、短辺側土台部１４は、起立姿勢とされた短辺側側壁部４の外面側と略当接する短辺側縦壁部１７と、短辺側側壁部４が起立姿勢とされた場合に、短辺側側壁部４の下部に設けられた係止部１９（図４参照）と係止状態とされる被係止部１８が設けられている。尚、短辺側側壁部４が起立姿勢とされた場合には、係止部１９における上方に突出する爪形状と、被係止部１８における下方に突出する爪形状とが、短辺側側壁部４の厚み方向において係止され、短辺側側壁部４の折畳み容器１の内側への変位が規制されるようになっている。
【００３０】
さて、図１、図６等に示すように、カードホルダ６は、短辺側側壁部４の高さ方向（上下方向）に延在し、水平断面略コ字状をなし、短辺側側壁部４の外面に当接する左右一対の当接部２１と、各当接部２１に設けられ、短辺側側壁部４に取付けられる取付部２２と、一対の当接部２１間を連結するようにして設けられ、短辺側側壁部４の外面との間で図示しないカードを保持可能なカード保持部２３とを備えている。
【００３１】
図６、図７等に示すように、カード保持部２３は、一対の当接部２１の上部間を連結する基部２４と、基部２４よりも下方において、各当接部２１から対向する当接部２１側に突出するとともに、その上辺部が基部２４の下辺部と連結される補助部２５とを備えている。図６、図７、図９等に示すように、カード保持部２３（基部２４、及び、補助部２５）は、当接部２１の短辺側側壁部４と当接する側の面（内面）よりも折畳み容器１の外方側、かつ、当接部２１の外端縁よりも折畳み容器１の内方側に位置している。つまり、図８等に示すように、カードホルダ６を短辺側側壁部４に取付けた状態において、カード保持部２３と、短辺側側壁部４との間には、若干の隙間が形成され、当該隙間に対し、図示しないカードが挿入されて保持されるようになっている。
【００３２】
図７〜図１１に示すように、カード保持部２３は、基部２４の横幅方向中央部、かつ、上下方向中央部から短辺側側壁部４側に突出する突部２６を備えている。突部２６は、折畳み容器１の外方側に開口したドーム状をなしており、弾性変形可能に構成されている。尚、基部２４、及び、補助部２５は、突部２６よりも弾性が弱く（弾性変形し難く）なっている。また、図８等に示すように、基部２４の上部は、上方に向けて短辺側側壁部４から離間する側に傾斜して延びている。本実施形態では、基部２４（及び補助部２５）が、本体部を構成している。
【００３３】
さらに、図７、図９、図１１等に示すように、カード保持部２３は、その両側部付近において、短辺側側壁部４側に突出し、突部２６よりも弾性が弱い（弾性変形し難い）一対のサイド突部２７を備えている。各サイド突部２７は、カードホルダ６の横幅方向において、カード保持部２３の各補助部２５よりも若干カードホルダ６の横幅方向中央部側の位置に設けられている。また、各サイド突部２７は、短辺側側壁部４の高さ方向において、突部２６とほぼ同じ位置に設けられている。加えて、短辺側側壁部４の下部に設けられた係止部１９は、短辺側側壁部４の横幅方向において、一対のサイド突部２７の間の位置に設けられている。
【００３４】
尚、本実施形態のカードホルダ６により保持されるカードとしては、その横幅が、カードホルダ６の左右一対の当接部２１間の距離よりも短く構成され、厚みが、短辺側側壁部４に取付けられたカードホルダ６のカード保持部２３と、短辺側側壁部４との間の距離よりも薄く構成されるとともに、カードホルダ６に保持された状態のカードの上縁部が、突部２６及びサイド突部２７よりも上方に位置するものを対象としている。また、カードの横幅が、カードホルダ６の各当接部２１に連接して設けられる左右一対の補助部２５間の距離よりも長く構成されることで、当該カードが、突部２６と、一対のサイド突部２７とによって、短辺側側壁部４との間に保持されつつ、左右一対の補助部２５によっても折畳み容器１の外方側への変位が規制されるようになっている。加えて、カードの横幅が、短辺側側壁部４の横幅方向において、突部２６と、サイド突部２７との間の距離よりも長く構成されていれば、突部２６と、一方のサイド突部２７とによって、短辺側側壁部４との間にカードを保持可能となる。
【００３５】
図６、図７、図１０に示すように、取付部２２は、カードホルダ６の厚み方向において当接部２１を貫通する矩形孔を形成することで構成されている。さらに、取付部２２は、短辺側側壁部４の高さ方向において、突部２６とほぼ同じ位置に設けられた（本例では、上下方向において形成範囲の一部が突部２６の形成範囲の上部と重複する）上取付部２８と、当接部２１の下端部付近に設けられた下取付部２９とを備えている。
【００３６】
これに対し、図１、図４に示すように、短辺側側壁部４の外面側には、外方に突出し、上下方向に延在する左右一対の側辺支持部３１と、左右一対の側辺支持部３１の下部（短辺側側壁部４の下部に設けられた係止部１９よりも上方）間を連結する下辺支持部３２とを備えている。側辺支持部３１は、短辺側側壁部４の横幅方向中央部を中心として対称位置に設けられている。さらに、短辺側側壁部４の外面側には、各側辺支持部３１のうち短辺側側壁部４の横幅方向中央部側の面に近接して、短辺側側壁部４の外面から外方に突出する取付突部３３が上下一対で設けられている。取付突部３３は、先端側において、短辺側側壁部４の側辺部側（側辺支持部３１側）に突出する取付爪部３４を備えている（図１０参照）。
【００３７】
一対の側辺支持部３１間の距離は、カードホルダ６の横幅よりも若干長く構成されている。そして、一対の側辺支持部３１間にカードホルダ６を挿入させるようにして、図１０に示すように、短辺側側壁部４の取付突部３３を、カードホルダ６の取付部２２（上取付部２８、及び、下取付部２９）に挿入し、取付爪部３４をカードホルダ６の外面側（当接部２１の外縁部）に係止させることで、カードホルダ６が短辺側側壁部４に取付けられている。また、図９に示すように、本実施形態では、カードホルダ６の短辺側側壁部４への取付状態であり、かつ、カード保持部２３にカードが保持されていない状態において、突部２６と、短辺側側壁部４とが当接状態とされる一方で、サイド突部２７と、短辺側側壁部４とが若干離間するようになっている。さらに、図１等に示すように、カードホルダ６の短辺側側壁部４への取付状態では、カード保持部２３の基部２４は、短辺側側壁部４の高さ方向中央部よりも若干下方に位置している。加えて、カードホルダ６の短辺側側壁部４への取付状態では、当接部２１の下面が、短辺側側壁部４の下辺支持部３２の上面と略当接状態とされる。
【００３８】
尚、一対の短辺側側壁部４は同じ形状をなしており、どちらの短辺側側壁部４にもカードホルダ６を取付可能となっている。本実施形態では、一方の短辺側側壁部４にのみカードホルダ６を取付ける構成であるが、両方の短辺側側壁部４に対してそれぞれカードホルダ６を取付けることも可能である。
【００３９】
また、図６に示すように、カード保持部２３において、左右一対の補助部２５のうちカードホルダ６の外面側から見て左側の補助部２５と、基部２４との境界部付近には、内角側の辺部を切欠くようにして形成された切欠き部３６が設けられている。切欠き部３６により比較的容易にカードホルダ６の向き（表裏）を把握可能となる上、切欠き部３６においてカードホルダ６の単体を（まとめて）レールや手に掛けることで、比較的安定してカードホルダ６を保管・運搬することが可能である。さらに、切欠き部３６を設けることで、カードの情報（バーコード等）が読み取り易くなる上、切欠き部３６を、カードの情報を読み取る場所の目印として利用することができる。
【００４０】
さらに、図７等に示すように、当接部２１の短辺側側壁部４と当接する側の内面のうち、カードホルダ６の横幅方向中央部側の辺部には、上下方向において上取付部２８と下取付部２９との間の範囲に対し、短辺側側壁部４側に若干突出する当接リブ３７が設けられている。当該当接リブ３７においては、カードホルダ６と、短辺側側壁部４との間に隙間がなく圧接される。これにより、図示しないカードが、当接部２１と、短辺側側壁部４との間に入り込むといった事態が確実に回避されるようになっている。
【００４１】
以上詳述したように、本実施形態によれば、短辺側側壁部４の外面側に取付けられたカードホルダ６のカード保持部２３の横幅方向中央部には、短辺側側壁部４側に突出し、弾性変形可能な突部２６が設けられている。このため、起立姿勢にある短辺側側壁部４を跳ね上げ姿勢とする際等に、カードホルダ６（カード保持部２３）に対して、作業者の手等が勢いよく接触したとしても、カード保持部２３に設けられた突部２６により、前記接触に起因する衝撃を緩和することができる。従って、カードホルダ６が破損したり、カードホルダ６を介してカードが損傷したりすることを抑止することができる。さらに、作業者の手と、カードホルダ６とが勢いよく接触した場合の作業者の手への負担軽減を図ることができる。加えて、折畳み容器１を折畳み状態とする作業において、短辺側側壁部４を折畳み容器１の内側に回動させる際に、短辺側側壁部４のうち手で押圧するのに好適な位置（短辺側側壁部４の中央部のやや下方位置）を避けてカードホルダ６を配置しなくても（カードホルダ６を介して短辺側側壁部４を押圧しても）、上記のようにカードホルダ６の損傷等を防止することができる。従って、カードホルダ６によって保持されるカードが視認され易くなるようにカードホルダ６を配置したり、カードホルダ６の形状をカードが保持され易い形状としたりすることができる。
【００４２】
さらに、カード保持部２３は、その両側部の付近において、短辺側側壁部４側に突出する一対のサイド突部２７を備え、突部２６は、一対のサイド突部２７の間に設けられている。このため、カード保持部２３の両側部の付近においてもカードを保持することができる。また、比較的小さいサイズのカードについても、突部２６と、一方のサイド突部２７とで保持することも可能となる。さらに、突部２６よりも弾性が弱い（弾性変形し難い）サイド突部２７がカード保持部２３の両側部の付近に設けられることで、折畳み容器１を折畳み状態とするにあたり、短辺側側壁部４を回動変位させる際に、カード保持部２３のうちサイド突部２７が設けられた部位の反対面側に作業者が手を当接させて、短辺側側壁部４を押圧するといった事態を抑制することができる（一般的には、短辺側側壁部４の横幅方向の中央部又はその近傍に手を当てて短辺側側壁部４を押圧する）。その一方で、突部２６は、一対のサイド突部２７の間に設けられる。このため、突部２６の弾性によってカードホルダ６の損傷等を防止するといった上記作用効果がより一層奏される。
【００４３】
加えて、短辺側側壁部４は、折畳み容器１の組立状態において底壁構成部２に設けられた被係止部１８と係止状態とされる係止部１９を備え、係止部１９は、短辺側側壁部４の横幅方向において、一対のサイド突部２７の間の位置に設けられている。このため、組立状態の折畳み容器１を折畳み状態とする際に、短辺側側壁部４の横幅方向中央部を折畳み容器１の内方側に押圧することで、係止部１９と被係止部１８との係止状態を比較的容易に解除することができる。従って、折畳み容器１を折畳み状態とする際に、カードホルダ６のサイド突部２７の周辺部が押圧されるといった事態をより確実に抑制することができる。
【００４４】
また、突部２６は、ドーム状をなし、突部２６の短辺側側壁部４側の形状が断面略円弧状とされている。このため、カード保持部２３と、短辺側側壁部４との間にカードを挿入する際に、カードが突部２６に引っ掛かって、カードの挿入が阻害されるといった事態を回避することができる。さらに、短辺側側壁部４、又は、カードと、突部２６とが圧接した場合であっても、突部２６の短辺側側壁部４側の形状が断面略円弧状であることから、短辺側側壁部４、カード、及び、突部２６が損傷するといった事態を抑制することができる。加えて、突部２６の内側の空間を埋めた形状（中実状）とする場合に比べ、突部２６の弾性を高める（弾性変形し易くする）こともでき、突部２６の弾性によってカードホルダ６の損傷等を防止するといった上記作用効果がより一層奏される。
【００４５】
さらに、カードホルダ６を短辺側側壁部４に取付けるための取付部２２は、各当接部２１において上下２箇所に設けられ、そのうち、上側の上取付部２８は、短辺側側壁部４の高さ方向において突部２６、及び、サイド突部２７とほぼ同じ位置に設けられている。このため、左右一対で設けられた各当接部２１に対しそれぞれ取付部２２が上下２箇所に設けられることから、カードホルダ６（特に、カードを着脱する際のカード保持部２３の基部２４）に対し、カード保持部２３が折畳み容器１の外方側や内方側に変形させられるような力が加えられたとしても、当接部２１が短辺側側壁部４から脱落する（前記力が加えられることで、短辺側側壁部４との間に隙間が生じ、取付部２２の劣化を早めたり、脱落し易くなったりする）といった事態をより確実に防止することができる。特に、各当接部２１には、突部２６とほぼ同じ高さ位置にも取付部２２が設けられていることから、かかる作用効果がより顕著に奏される。
【００４６】
尚、上記実施形態の記載内容に限定されず、例えば次のように実施してもよい。勿論、以下において例示しない他の応用例、変更例も当然可能である。
【００４７】
（ａ）上記実施形態では、突部２６がカードホルダ６の本体（カード保持部２３の基部２４）と一体的に形成されているが、基部２４とは別体（かつ、異素材）で構成することも可能である。例えば、基部２４の内面に対し、基部２４よりも柔らかい素材の突部を接着、又は、溶着する、或いは、ドーム状部と、取付部とを備える突出部材をねじ等で固定することとしてもよい。
【００４８】
また、突部２６の形成位置や数は特に限定されるものではなく、適宜変更可能である。但し、起立姿勢にある短辺側側壁部４を跳ね上げ姿勢とする際に、短辺側側壁部４の横幅方向中央部の付近が押圧され易いことに鑑み、極力、短辺側側壁部４の横幅方向中央部に寄せて突部２６を配置することが望ましい。さらに、例えば、カード保持部２３のうち上方に向けて短辺側側壁部４から離間する側に傾斜する基部２４の上部を含む範囲に突部２６を設けることとしてもよい。この場合、突部２６の突出長を長くすることができ、当該突部２６の弾性変形による緩衝効果がより一層確実に奏される。加えて、突部６の形状についても特に限定されるものではなく、例えば、上辺部が基部２４と連結され、下方かつ短辺側側壁部４側に傾斜して延びる弾性片（下辺部側を容器１の外方側に湾曲させる等してもよい）により突部を構成することとしてもよい。但し、突部２６の耐久性を高めたり、カードの突部２６との引っ掛かりを抑止したりするべく、正面視での突部２６の全周が基部２４と連結されるとともに、断面略円弧状に構成されることが望ましい。
【００４９】
（ｂ）上記実施形態では、カードホルダ６を含む折畳み容器１がポリプロピレンにより構成されているが、特に当該構成に限定されるものではなく、例えば、ポリエチレン、ＰＥＴ、ポリアミド等その他の樹脂材料により構成されることとしてもよい。さらに、折畳み容器１の本体（底壁構成部２、長辺側側壁部３、短辺側側壁部４、及び、上枠５）と、カードホルダ６とで異なる素材を使用することとしてもよい。
【００５０】
（ｃ）上記実施形態では、カードホルダ６の基部２４、及び、補助部２５は、突部２６よりも弾性が弱く（弾性変形し難く）なっているが、突部２６と同様に弾性変形可能に構成してもよい。この場合、基部２４、及び、突部２６の弾性により、カードホルダ６（基部２４）が短辺側側壁部４側に勢いよく押圧された場合の衝撃を緩和するといった作用効果が相乗的に高められ、カードホルダ６の損傷等を防止するといった上記作用効果がより一層確実に奏される。
【００５１】
また、基部２４が弾性変形可能な構成を採用する場合には、突部２６を省略することも可能である。つまり、例えば、上記実施形態のサイド突部２７を設ける（少なくとも一方でもよいが、両方を設けることが望ましい）とともに、突部２６を省略する場合には、カード保持部２３（基部２４）と、短辺側側壁部４との間に、サイド突部２７を介して、基部２４が弾性変形する空間（余地）が形成される。これにより、起立姿勢の短辺側側壁部４を跳ね上げ姿勢とする際に、基部２４が短辺側側壁部４側に押圧された場合に、一対のサイド突部２７の間の基部２４が弾性変形して、前記押圧に起因する衝撃を緩和させることができる。従って、カードホルダ６が勢いよく押圧された場合のカードホルダ６の損傷等を防止するといった上記実施形態と同様の作用効果が奏される。
【００５２】
尚、サイド突部２７を、突部２６と同様に、弾性変形可能に構成してもよい。さらに、サイド突部２７を省略することも可能である。また、基部２４のうち、起立位置にある短辺側側壁部４を跳ね上げ位置とする際に押圧される可能性の高い部位（上記実施形態では、基部２４の横幅方向中央部、及び、その付近）において、短辺側側壁部４側に突出する突部を設ける場合には、該突部を弾性変形可能に構成する（或いは、短辺側側壁部４との間の距離を極力離間させる）ことが望ましい。加えて、上記実施形態では、カードホルダ６にカードを装着していない状態において、サイド突部２７が短辺側側壁部４から離間しているが、サイド突部２７を弾性変形可能とする場合には、カードを装着していない状態において、サイド突部２７が短辺側側壁部４と当接するように構成してもよい。また、カードを装着していない状態において、突部２６が短辺側側壁部４から離間するように構成してもよい。
【符号の説明】
【００５３】
１…折畳み容器、２…底壁構成部、３…長辺側側壁部、４…短辺側側壁部、５…上枠、６…カードホルダ、８…下壁部、９…上壁部、２１…当接部、２２…取付部、２３…カード保持部、２６…突部、２７…サイド突部。
【図１】
2020158136.tif 000003
【図２】
2020158136.tif 000004
【図３】
2020158136.tif 000005
【図４】
2020158136.tif 000006
【図５】
2020158136.tif 000007
【図６】
2020158136.tif 000008
【図７】
2020158136.tif 000009
【図８】
2020158136.tif 000010
【図９】
2020158136.tif 000011
【図１０】
2020158136.tif 000012
【図１１】
2020158136.tif 000013